(57)【要約】【課題】  軒先側端部に立上がり部を設けた屋根材（瓦）本体であっても、屋根材の固定効果を確保でき、屋根材本体の差替え補修等の場合においても作業が容易にできる屋根材を提供する。【解決手段】  屋根材１を構成する屋根材本体２が、屋根材本体固定金具３の屋根材本体係止部５にそれぞれ対応した屋根材本体固定金具係合部８を有するので、屋根材本体の軒先側端部４に立上がり部１１を設けた場合であっても、屋根材本体固定金具３を使用して重合する屋根材の固定効果を確保し得る。さらに、屋根材本体２が、側端部１６に重合重ね代１２を有する場合、屋根材本体固定金具係合部８の左右幅寸法を屋根材本体係止部５の左右幅寸法と重合重ね代１２の左右幅寸法との和以上となるように形成しているので、屋根材本体２の差替え補修等の場合等においても屋根材本体２の交換等の作業が容易にできる。【選択図】図１
2005213729.tif 000002
【特許請求の範囲】
【請求項１】
略矩形状の複数の屋根材本体と、前記複数の屋根材本体を相互に連結、固定する屋根材本体固定金具とを備えた屋根材であって、前記屋根材本体の軒先側端部を係止する屋根材本体係止部を有する前記屋根材本体固定金具が、前記屋根材本体に重合する第二の屋根材本体の棟側端部とともに屋根材本体設置面に固定される屋根材において、前記屋根材本体が、前記屋根材本体係止部にそれぞれ対応した屋根材本体固定金具係合部を有することを特徴とする屋根材。
【請求項２】
前記屋根材本体固定金具係合部が、前記屋根材本体の軒先側端縁に欠切、形成した薄肉部であることを特徴とする請求項１記載の屋根材。
【請求項３】
前記屋根材本体が、横方向の側端部に重合重ね代を有する屋根材本体であって、前記屋根材本体固定金具係合部の左右幅寸法を前記屋根材本体係止部の左右幅寸法と前記重合重ね代の左右幅寸法との和以上となるように形成したことを特徴とする請求項１または請求項２記載の屋根材。
【請求項４】
前記屋根材本体が樹脂で形成されたことを特徴とする請求項１乃至請求項３のいずれかに記載の屋根材。
【発明の詳細な説明】
【技術分野】
【０００１】
本発明は、略矩形状をした屋根材本体の横方向の各々の側端部及び軒先側端部を下段の屋根材の棟側端部に重合して葺設する屋根材に関するものである。
【背景技術】
【０００２】
従来例に係る屋根材（瓦）としては、セメント板、木質板等からなるものがよく知られているが、近年、軽量・大判でシャープなデザイン表現の屋根材として樹脂製屋根材が注目されており、本願出願人においても、既に樹脂製屋根材及びその製造方法（特開２００２−１６７９０８号公報）、さらには、樹脂製屋根材の軽量、高強度化（特開２００３−１９３６２４号公報）等の提案を行っている。一方、複数の屋根材本体を重合して葺設する屋根材（瓦）の固定に屋根材本体固定金具を使用し得ることは、例えば、実開平５−３４３１号公報等に開示されるようによく知られており、かかる事情は、上記した樹脂製屋根材においても同様である。他方、上記したようなセメント板、木質板等からなる平板屋根材は、通常、９〜１５ｍｍ程度の厚みしかなく、重厚感に乏しいため、軽量化、大判化に対応し得る樹脂製屋根材を採用し、さらに、デザイン上の要請から重厚感を現出するために屋根材本体の軒先側端部に立上がり部を設け、この前側端部の立上り部を下段の屋根材本体の棟側端部に重合することも試みられている（特開２００３−１９３６２４号公報等）。かかる場合においても、前記屋根材本体固定金具が有する屋根材本体係止部の寸法、形状、或いは、かかる屋根材本体係止部にそれぞれ対応して、係合する屋根材本体固定金具係合部の寸法、形状等については、重合して葺設する屋根材（瓦）の固定効果を確保する観点からは、一定の制限があり、かかる制限の範囲内で設計する必要がある。また、屋根材本体が、横方向の側端部に重合重ね代を有する屋根材本体の場合には、屋根材本体の差替え補修等の場合等においても屋根材本体の交換等の作業が容易にできることも要請される。
【特許文献１】特開２００２−１６７９０８号公報
【特許文献２】特開２００３−１９３６２４号公報
【特許文献３】実開平５−３４３１号公報
【発明の開示】
【発明が解決しようとする課題】
【０００３】
本願発明は、上記背景技術に鑑みて発明されたものであり、その課題は、軒先側端部に立上がり部を設けた屋根材（瓦）本体であっても、屋根材本体固定金具を使用して重合する屋根材の固定効果を確保し得る一方、かかる屋根材本体の差替え補修等の場合等においても屋根材本体の交換等の作業が容易にできる屋根材を提供することである。
【課題を解決するための手段】
【０００４】
上記課題を解決するために、請求項１に係る発明の屋根材にあっては、略矩形状の複数の屋根材本体と、前記複数の屋根材本体を相互に連結、固定する屋根材本体固定金具とを備えた屋根材であって、前記屋根材本体の軒先側端部を係止する屋根材本体係止部を有する前記屋根材本体固定金具が、前記屋根材本体に重合する第二の屋根材本体の棟側端部とともに屋根材本体設置面に固定される屋根材において、前記屋根材本体が、前記屋根材本体係止部にそれぞれ対応した屋根材本体固定金具係合部を有することを特徴とするものである。
【０００５】
請求項２に係る発明の屋根材にあっては、請求項１記載の屋根材において、前記屋根材本体固定金具係合部が、前記屋根材本体の軒先側端縁に欠切、形成した薄肉部であることを特徴とするものである。
【０００６】
請求項３に係る発明の屋根材にあっては、請求項１または請求項２記載の屋根材において、前記屋根材本体が、横方向の側端部に重合重ね代を有する屋根材本体であって、前記屋根材本体固定金具係合部の左右幅寸法を前記屋根材本体係止部の左右幅寸法と前記重合重ね代の左右幅寸法との和以上となるように形成したことを特徴とするものである。
【０００７】
請求項４に係る発明の屋根材にあっては、請求項１乃至請求項３のいずれかに記載の屋根材において、前記屋根材本体が樹脂で形成されたことを特徴とするものである。
【発明の効果】
【０００８】
本願発明の屋根材では、略矩形状の複数の屋根材本体と、前記複数の屋根材本体を相互に連結、固定する屋根材本体固定金具とを備えた屋根材であって、前記屋根材本体の軒先側端部を係止する屋根材本体係止部を有する前記屋根材本体固定金具が、前記屋根材本体に重合する第二の屋根材本体の棟側端部とともに屋根材本体設置面に固定される屋根材において、前記屋根材本体が、前記屋根材本体係止部にそれぞれ対応した屋根材本体固定金具係合部を有し、この屋根材本体固定金具係合部が、前記屋根材本体の軒先側端縁に欠切、形成した薄肉部であるので、前記屋根材本体が、その軒先側端部に立上がり部を設けた屋根材本体であっても、屋根材本体固定金具を使用して重合する屋根材の固定効果を確保し得ることとなる。さらに、この屋根材本体が、横方向の側端部に重合重ね代を有する屋根材本体であって、屋根材本体固定金具係合部の左右幅寸法を屋根材本体係止部の左右幅寸法と前記重合重ね代の左右幅寸法との和以上となるように形成しているので、屋根材本体の差替え補修等の場合等においても屋根材本体の交換等の作業が容易にできることとなる。
【発明を実施するための最良の形態】
【０００９】
以下、本発明の実施形態を図面に基づき説明する。なお、本発明の屋根材は、下記の実施形態にのみ限定されるものではなく、本発明の要旨を逸脱しない範囲内において種々変更を加え得ることは勿論である。ここで、図１は、本願発明の一実施形態である屋根材１の要部の構成の概略を示す分解斜視図である。図２は、本願発明の一実施形態である屋根材１において使用する屋根材本体固定金具３の構成の概略を例示する斜視図である。図３は、本願発明の一実施形態である屋根材１を構成する屋根材本体２の要部の構成の概略を示すもので、（ａ）は、屋根材本体固定金具係合部８の近傍を拡大して示す斜視図、（ｂ）は、屋根材本体２の側端部１６における屋根材本体固定金具係合部８ａの近傍を拡大して示す斜視図である。図４は、左右幅寸法における充分な寸法的余裕がない場合の屋根材本体固定金具係合部８ｂの近傍を拡大して示す斜視図である。
【００１０】
すなわち、図１に示すように、本実施形態の屋根材（瓦）１は、略矩形状の複数の屋根材（瓦）本体２とこれら複数の屋根材本体２を相互に連結、固定する屋根材本体固定金具３（図２参照）とを備えている。さらに、この屋根材本体固定金具３は、屋根材本体２の軒先側端部４を係止する屋根材本体係止部５を有する一方、屋根材本体２に重合する第二の屋根材本体２ａの棟側端部６ａとともに屋根材本体設置面７にビス用穴１３を貫通するビス１５で固定されることとなる。さらに、屋根材本体２が、この屋根材本体固定金具３の屋根材本体係止部５にそれぞれ対応して、係合する屋根材本体固定金具係合部８を有しており、このため、屋根材本体固定金具３に対応した所定の屋根材本体固定金具係合部８に屋根材本体固定金具３を係合するだけで、最適の屋根材本体の連結、固定状態を容易且つ簡便に実現でき、施工が容易になるという利点を有するものである。
【００１１】
一方、本実施形態では、この屋根材本体固定金具係合部８が、屋根材本体２の軒先側端縁９に欠切、形成した薄肉部１０である。また、本実施形態では、重厚感を現出するために屋根材本体２の軒先側端部４に立上がり部１１を設けている。この結果、屋根材本体２が、その軒先側端部４に立上がり部１１を設けたものであっても、屋根材本体固定金具３を使用して重合する屋根材１の固定効果を確保し得ることとなる。
【００１２】
さらに、本実施形態においては、この屋根材本体２が、横方向の側端部１６に重合重ね代１２（さらに具体的には、屋根材本体２の横方向の各々の側端部１６ａ、１６ｂに上側重合重ね代１２ａと下側重合重ね代１２ｂ）を有するものであって、屋根材本体固定金具係合部８において、その左右幅寸法を、屋根材本体固定金具３の屋根材本体係止部５の左右幅寸法と、前記重合重ね代１２の左右幅寸法との和以上となるように形成している。具体的には、図１、図３（ａ）に示すように、屋根材本体固定金具係合部８の左右幅寸法をＤ１、重合重ね代１２の左右幅寸法をＤ０、屋根材本体固定金具３の屋根材本体係止部５の左右幅寸法をｄ０とするとき、Ｄ１≧Ｄ０＋ｄ０とするものである。すなわち、軒先側端部４に立上がり部１１を設けた場合、前記薄肉部１０として形成した屋根材本体固定金具係合部８が、例えば、図４に示す屋根材本体固定金具係合部８ｂのようにその左右幅寸法において充分な寸法的余裕がない場合には、屋根材本体２の交換作業時等の重合重ね代１２の係合等の際の作業性に劣るからである。
【００１３】
一方、屋根材本体２の横方向の側端部１６の屋根材本体固定金具係合部８ａにおいても、図３（ｂ）に示すように、上記と同様に、屋根材本体固定金具係合部８ａの左右幅寸法をＤ２とした場合、Ｄ２≧Ｄ０＋ｄ０となるように形成している。このように、屋根材本体２が、横方向の側端部１６に重合重ね代１２を有し、屋根材本体固定金具係合部８の左右幅寸法を屋根材本体係止部５の左右幅寸法と前記重合重ね代１２の左右幅寸法との和以上となるように形成しているので、屋根材本体２の差替え補修等の場合等においても屋根材本体２の交換等の作業が容易にできることとなる。
【００１４】
なお、本実施形態の屋根材にあっては、屋根材１或いは、これを構成する屋根材本体２を好適には、樹脂で形成することができるものである。具体的には、例えば、塩化ビニール樹脂、アクリル樹脂、ポリカーボネート等の樹脂で射出成形や注型等の方法で製造することができ、その結果、軽量・大判で、意匠性に優れた屋根材とすることができるが、本発明に係る屋根材の材質は、これらのみに限定されず、上記課題解決に寄与し得る限りにおいて制限されないことは勿論である。
【図面の簡単な説明】
【００１５】
【図１】本願発明の一実施形態である屋根材１の要部の構成の概略を示す分解斜視図である。
【図２】本願発明の一実施形態である屋根材１において使用する屋根材本体固定金具３の構成の概略を例示する斜視図である。
【図３】本願発明の一実施形態である屋根材１を構成する屋根材本体２の要部の構成の概略を示すもので、（ａ）は、屋根材本体固定金具係合部８の近傍を拡大して示す斜視図、（ｂ）は、屋根材本体２の側端部１６における屋根材本体固定金具係合部８ａの近傍を拡大して示す斜視図である。
【図４】左右幅寸法における充分な寸法的余裕がない場合の屋根材本体固定金具係合部８ｂの近傍を拡大して示す斜視図である。
【符号の説明】
【００１６】
１    屋根材（瓦）
２    屋根材本体
２ａ  屋根材本体
３    屋根材本体固定金具
４    軒先側端部（屋根材本体２）
５    屋根材本体係止部（屋根材本体固定金具３）
６    棟側端部（屋根材本体２）
６ａ  棟側端部（屋根材本体２）
７    屋根材本体設置面
８    屋根材本体固定金具係合部（屋根材本体２）
８ａ  屋根材本体固定金具係合部（屋根材本体２）
８ｂ  屋根材本体固定金具係合部（屋根材本体２）
９    軒先側端縁（屋根材本体２）
１０    薄肉部（軒先側端縁９）
１１    立上がり部（軒先側端部４）
１２    重合重ね代（側端部１６）
１２ａ  重合重ね代（側端部１６ａ）
１２ｂ  重合重ね代（側端部１６ｂ）
１３    ビス用穴（屋根材本体固定金具３）
１４    リブ係合部（屋根材本体固定金具３）
１５    ビス
１６    側端部（屋根材本体２）
１６ａ  側端部（屋根材本体２）
１６ｂ  側端部（屋根材本体２）
【図１】
2005213729.tif 000003
【図２】
2005213729.tif 000004
【図３】
2005213729.tif 000005
【図４】
2005213729.tif 000006